(57)【要約】【課題】耐衝撃性に優れた時計を提供すること。【解決手段】時計１は、ムーブメント６と、ムーブメント６を保持するリング状の内ケース１０と、内ケース１０を収納するリング状の外ケース２０と、外ケース２０の開口を塞ぐカバーガラスおよび裏蓋とを有する。内ケース１０の外周面と外ケース２０の内周面とは離間して配置され、隙間９が形成される。内ケース１０は、内ケース１０および外ケース２０間に設けられた支持部３０で外ケース２０に支持される。【選択図】図１
2016114407.tif 000002
【特許請求の範囲】
【請求項１】
ムーブメントと、
前記ムーブメントを保持するリング状の内ケースと、
前記内ケースを収納するリング状の外ケースと、
外ケースの開口を塞ぐカバーガラスおよび裏蓋とを有し、
前記内ケースの外周面と外ケースの内周面とは離間して配置され、
前記内ケースは、前記内ケースおよび前記外ケース間に設けられた支持部で前記外ケースに支持されている
ことを特徴とする時計。
【請求項２】
請求項１に記載の時計において、
前記支持部は複数設けられ、
前記複数の支持部のうちの１つの支持部と、前記外ケースと、前記内ケースとを貫通する貫通孔が形成され、
前記貫通孔には巻真が配置されている
ことを特徴する時計。
【請求項３】
請求項１または請求項２に記載の時計において、
前記裏蓋は、透光性部材を備えて構成される
ことを特徴とする時計。
【請求項４】
請求項１から請求項３のいずれか一項に記載の時計において、
前記内ケースは、リング状の内胴部と、前記内胴部に着脱可能に取り付けられる保持部とを備え、
前記ムーブメントは、前記内胴部および前記保持部で保持されている
ことを特徴とする時計。
【請求項５】
請求項４に記載の時計において、
前記内ケースの前記内胴部と、前記外ケースと、前記支持部とは、金属材によって一体で形成されている
ことを特徴とする時計。
【請求項６】
請求項１から請求項５のいずれか一項に記載の時計において、
前記ムーブメントで駆動される指針と、前記ムーブメントおよび指針間に配置される文字板とを備え、
前記文字板は、前記内ケースの内周に沿って配置される外周リングと、前記指針の回転軸が挿通される軸挿通部と、前記外周リングおよび軸挿通部間を連結するブリッジ部とを備えて構成される
ことを特徴とする時計。
【請求項７】
請求項１から請求項６のいずれか一項に記載の時計において、
前記ムーブメントで駆動される指針を備え、
前記内ケースの表面には、前記指針で指示される目盛が表示されている
ことを特徴とする時計。
【発明の詳細な説明】
【技術分野】
【０００１】
本発明は、時計に係り、特に、腕時計などの携帯可能な時計に関する。
【背景技術】
【０００２】
腕時計などの携帯可能な時計において、内胴と外胴とを有する二重構造の時計ケースを有するものが知られている（例えば特許文献１参照）。
特許文献１に記載された時計は、ムーブメントが収納された金属製の内胴と、この内胴の少なくとも一部を覆う金属製の外胴とを有し、内胴と外胴との間に弾性を有する緩衝材を配置して耐衝撃構造を備えた腕時計ケースを有している。
【先行技術文献】
【特許文献】
【０００３】
【特許文献１】特開２０００−２４９７７５号公報
【発明の概要】
【発明が解決しようとする課題】
【０００４】
しかしながら、前記時計では、内胴および外胴は緩衝材に直接接触しているため、外胴に衝撃が加わって変形した場合には、緩衝材で衝撃を吸収できず、ムーブメントに衝撃が伝わってしまう可能性がある。
【０００５】
本発明は、耐衝撃性に優れた時計を提供することにある。
【課題を解決するための手段】
【０００６】
本発明の時計は、ムーブメントと、前記ムーブメントを保持するリング状の内ケースと、前記内ケースを収納するリング状の外ケースと、外ケースの開口を塞ぐカバーガラスおよび裏蓋とを有し、前記内ケースの外周面と外ケースの内周面とは離間して配置され、前記内ケースは、前記内ケースおよび前記外ケース間に設けられた支持部で前記外ケースに支持されていることを特徴とする。
【０００７】
本発明によれば、内ケースはムーブメントを保持し、外ケースは内ケースを収容する。この際、内ケースの外周面と外ケースの内周面とは離間して配置され、内ケースおよび外ケース間には支持部が設けられる。内ケースは、この支持部で外ケースに支持される。
このため、支持部以外の内ケースおよび外ケース間には隙間が形成され、外ケースは内ケースに直接接触していない。したがって、外ケースに衝撃が加わって変形しても、その変形は前記隙間部分で吸収され、内ケースが変形することを防止できる。このため、内ケースで保持されるムーブメントに衝撃が加わり、破損することも防止できる。
また、内ケースは、リング状に形成されているので、ムーブメントの外周全体を保持できる。このため、内ケースによるムーブメントの保持強度を向上でき、時計を落とした場合などでも内ケースからムーブメントが外れることを防止できる。
さらに、外ケースにカバーガラスと裏蓋とが装着されているので、内ケースの表面、裏面および側面の全体を被覆できる。このため、内ケースやムーブメントは直接外部に露出しないため、内ケースやムーブメントの破損や劣化も抑制できる。
その上、外ケース内に内ケースが配置されているので、外側の時計ケースの中にさらに時計が収容されているように見える二重構造のケースとすることができる。さらに、外ケースおよび内ケース間には支持部とスリット状の隙間とが形成されているため、従来にない新規なデザインの時計を提供できる。
【０００８】
本発明の時計において、前記支持部は複数設けられ、前記複数の支持部のうちの１つの支持部と、前記外ケースと、前記内ケースとを貫通する貫通孔が形成され、前記貫通孔には巻真が配置されていることが好ましい。
なお、巻真は、「りゅうず」や「つづみ車」などが取り付けられ、時計の針の位置修正やカレンダー修正を行う操作軸である。
外ケース、支持部、内ケースを貫通する貫通孔に巻真を配置すれば、巻真が外ケースおよび内ケース間の隙間に露出することを防止できる。したがって、巻真を安定して支持でき、かつ、時計のデザイン性を向上できる。
【０００９】
本発明の時計において、前記裏蓋は、透光性部材を備えて構成されることが好ましい。
ガラスなどの透光性部材を備えた裏蓋を用いれば、内ケースおよびムーブメントを裏蓋側からも視認できる。
また、外ケースおよび内ケース間の隙間部分が前記カバーガラスおよび裏蓋の透光性部材と平面視で重なるように構成することで、前記隙間部分をシースルーとすることができ、デザイン性に優れた時計を提供できる。
【００１０】
本発明の時計において、前記内ケースは、リング状の内胴部と、前記内胴部に着脱可能に取り付けられる保持部とを備え、前記ムーブメントは、前記内胴部および前記保持部で保持されていることが好ましい。
内胴部に保持部をねじ込むことなどで着脱可能に構成すれば、ムーブメントを内ケースに保持する作業を容易に行うことができる。また、アフターサービス等でムーブメントを取り外す場合も容易に行うことができる。
【００１１】
本発明の時計において、前記内ケースの前記内胴部と、前記外ケースと、前記支持部とは、金属材によって一体で形成されていることが好ましい。
内ケースの内胴部および外ケース、支持部がステンレススチール等の金属材で一体に形成されていれば、支持部による内ケースの支持強度を向上でき、剛性の高いケースを提供できる。さらに、内ケースの内胴部および外ケース、支持部が一体であるため、継ぎ目の無い連続するデザインを実現でき、意匠性を向上できる。
【００１２】
本発明の時計において、前記ムーブメントで駆動される指針と、前記ムーブメントおよび指針間に配置される文字板とを備え、前記文字板は、前記内ケースの内周に沿って配置される外周リングと、前記指針の回転軸が挿通される軸挿通部と、前記外周リングおよび軸挿通部間を連結するブリッジ部とを備えて構成されることが好ましい。
文字板の外周リングの内側に開口が形成されるため、内ケースで保持されるムーブメントを文字板の開口を介して視認できる。このため、ユーザーはムーブメントの動き等を視認することもできる。さらに、指針の回転軸が挿通される軸挿通部を備えているので、指針の回転軸が傾くことも防止できる。
【００１３】
本発明の時計において、前記ムーブメントで駆動される指針を備え、前記内ケースの表面には、前記指針で指示される目盛が表示されていることが好ましい。
内ケースに目盛が表示されていれば、文字板に目盛を形成する必要が無いため、様々な種類の文字板を交換して時計の意匠を変更することもできる。
【図面の簡単な説明】
【００１４】
【図１】本発明の実施形態の時計を示す正面図。
【図２】前記時計の胴および文字板を示す斜視図。
【図３】前記時計の３時−９時方向の断面図。
【図４】前記時計の１２時−６時方向の断面図。
【発明を実施するための形態】
【００１５】
以下、本発明の実施形態を図面に基づいて説明する。
図１は、本実施形態に係る時計（腕時計）１の平面図である。
時計１は、図１に示すように、ケース２と、ムーブメント６と、文字板７と、指針８とを備える腕時計である。
ケース２は、図２〜図４にも示すように、胴３、裏蓋４、カバーガラス５を備える。胴３は、内ケース１０と、外ケース２０と、支持部３０とを備える。
【００１６】
［内ケース］
内ケース１０は、リング状に形成された内胴部１１と、内胴部１１に着脱可能に取り付けられた保持部１２とを備える。
保持部１２は、ステンレスなどの内胴部１１と同じ材質の金属製部材であり、リング状に形成されている。この保持部１２は、内胴部１１の裏面開口にねじ込まれて着脱可能に取り付けられている。また、保持部１２には、ムーブメント６の下面側に延長されたフランジ部１２１が形成され、フランジ部１２１の内側は開口１２２とされている。
【００１７】
内ケース１０は、ムーブメント６を保持する。ムーブメント６の外周には、プラスチック製の文字板受けリング６１が取り付けられている。そして、内胴部１１に保持部１２をねじ込むことで、内胴部１１および保持部１２は上下方向から文字板受けリング６１を挟持し、文字板受けリング６１を介してムーブメント６を保持している。
【００１８】
内胴部１１の表面１１１（カバーガラス５側の面）は、図３に示すように、時計中心側に向かって低くなるように傾斜されている。表面１１１には、図１に示すように、目盛や数字が形成されている。目盛や数字は、内胴部１１の表面１１１をエッチングし、さらに塗料を入れることで表示されている。
内胴部１１の内周面には、図３，４に示すように、文字板７が当接するフランジ１１２が突設されている。
【００１９】
［ムーブメント］
ムーブメント６は、従来から時計に用いられているものが利用できる。本実施形態では、回転錘６２の回転によって発電する発電機と、この発電機の発電電力を充電する二次電池と、二次電池の電力で駆動されるモーターとを備えたムーブメントである。
なお、保持部１２のフランジ部１２１によって、回転錘６２の外周部がカバーされており、回転錘６２が裏蓋４に衝突することも防止できる。
【００２０】
なお、ムーブメント６としては、ボタン型の一次電池でステップモーターを駆動する一般的なクオーツ時計用のムーブメントでもよいし、ゼンマイを駆動源として発電する発電機と、この発電機の発電電力を充電する二次電池と、二次電池の電力で駆動されるモーターとを備えたムーブメントでもよい。さらに、ムーブメント６としては、ゼンマイの駆動力で輪列を回転し、調速機構で調速する機械式時計用のムーブメントでもよい。
【００２１】
本実施形態のムーブメント６は、ステップモーターおよび輪列を介して、時針８１、分針８２、秒針８３からなる指針８を駆動する。さらに、ムーブメント６は、ステップモーターおよび輪列を介して図１に示す日回し車８４を回転し、この日回し車８４で日車８５を駆動する。なお、日車８５の表面側には日車押さえ８６が配置されている。
【００２２】
［外ケース］
外ケース２０は、図１，２に示すように、リング状に形成された外胴部２１と、図示しないバンドが取り付けられるカン部２２とを備える。外ケース２０の外胴部２１の表面側開口には、図３，４に示すように、パッキン２３を介してカバーガラス５が取り付けられている。
【００２３】
［裏蓋］
外胴部２１の裏面側開口には、裏蓋４が着脱可能に取り付けられている。裏蓋４は、リング状の枠４１と、この枠４１の内部にパッキン４２を介して圧入された透光性部材である裏蓋ガラス４３とで構成されている。この裏蓋４は、外胴部２１にねじ込まれて取り付けられている。
【００２４】
［支持部］
内ケース１０の内胴部１１の外周面と、外ケース２０の外胴部２１の内周面とは離間して配置され、内胴部１１および外胴部２１間にはスリット状の隙間９が形成されている。
そして、隙間９を介して離間した内胴部１１および外胴部２１は、支持部３０で連結されている。
支持部３０は、内ケース１０の内胴部１１と、外ケース２０の外胴部２１との間において、時計１の３時位置に設けられた第１支持部３１と、９時位置に設けられた第２支持部３２とを備えている。このため、隙間９は、１２側と６時側との２箇所に、平面円弧状に形成されている。
支持部３０は、図３に示すように、厚さ寸法が内胴部１１および外胴部２１よりも小さくされてリブ状に形成されている。このため、内ケース１０の内胴部１１は、支持部３０からカバーガラス５側および裏蓋４側に向かって突出されている。
【００２５】
以上に説明した内ケース１０の内胴部１１と、外ケース２０の外胴部２１およびカン部２２と、支持部３０である第１支持部３１および第２支持部３２とは、図２，３に示すように、ステンレススチールなどの金属材で一体に形成されている。
また、図４に示すように、隙間９は、カバーガラス５および裏蓋４の裏蓋ガラス４３と平面的に重なる位置に形成されている。
【００２６】
［りゅうずと巻真］
図３に示すように、第１支持部３１、内胴部１１、外胴部２１を貫通する貫通孔３５が形成され、貫通孔３５には、りゅうず９１の軸と、りゅうず９１の軸に連結された巻真９２とが挿通されている。
【００２７】
［文字板］
文字板７は、ステンレスなどの金属材やプラスチックなどの板材で一体に形成されており、内ケース１０の内周に沿って配置される外周リング７１と、指針８の回転軸８Ａが挿通される軸挿通部７２と、外周リング７１および軸挿通部７２間を連結するブリッジ部７３と、外周リング７１の内周面の３時位置に設けられた日窓部７４とを備えている。
文字板７は、内胴部１１のフランジ１１２と、文字板受けリング６１とで挟持されている。
【００２８】
外周リング７１は、円環板状に形成され、その表面には円周方向に沿って中心角が３０度毎にマーク（ドット）が表示されている。
軸挿通部７２は、回転軸８Ａが挿通される孔７２Ａが形成されている。軸挿通部７２によって、指針８の回転軸８Ａが保持されるため、回転軸８Ａが傾くことも防止できる。
ブリッジ部７３は、外周リング７１と軸挿通部７２とを連結するものであり、文字板７の１２時位置から６時位置に渡って形成されている。
日窓部７４は、外周リング７１の３時位置から軸挿通部７２に向かって突設された板状部であり、日車８５に表示された日付が露出する日窓７４１が形成されている。
【００２９】
文字板７の外周リング７１および軸挿通部７２、ブリッジ部７３間には略半円状の開口７５が形成されている。この開口７５から文字板７の裏面側に配置されたムーブメント６が露出する。具体的には、図１に示すように、日回し車８４、日車８５、日車押さえ８６等が開口７５から露出する。
【００３０】
文字板７の外周リング７１は、前記内胴部１１の表面１１１と平面視で連続して配置される。このため、文字板７自体に目盛が表示されていなくても、ユーザーは、指針８の指示を表面１１１の目盛で確認できる。
【００３１】
［本実施形態の作用効果］
ムーブメント６を保持する内ケース１０と、内ケース１０を収納する外ケース２０とはスリット状の隙間９を介して離間され、支持部３１，３２で連結されている。このため、外ケース２０は内ケース１０に直接接触していないので、外ケース２０に衝撃が加わって変形しても、その変形を前記隙間９で吸収でき、内ケース１０が変形することを防止できる。このため、内ケース１０で保持されるムーブメント６に衝撃が加わり、破損することも防止できる。
【００３２】
内ケース１０は、リング状に形成されているので、ムーブメント６の外周全体を保持できる。このため、内ケース１０によるムーブメント６の保持強度を向上でき、時計１を落とした場合などでも内ケース１０からムーブメント６が外れることを防止できる。
【００３３】
外ケース２０にカバーガラス５と裏蓋４とが装着されているので、内ケース１０の表面、裏面および側面の全体を被覆できる。このため、内ケース１０やムーブメント６は直接外部に露出せず、内ケース１０やムーブメント６の破損や劣化も抑制できる。
外ケース２０内に内ケース１０が配置されているので、外側の時計ケースの中にさらに時計が収容されているように見える二重構造のケースとすることができる。その上、外ケース２０および内ケース１０間にはスリット状の隙間９が形成されているため、従来にない新規なデザインの時計１を提供できる。
【００３４】
巻真９２は、外胴部２１、第１支持部３１、内胴部１１を貫通する貫通孔３５に配置しているので、巻真９２が隙間９に露出することを防止できる。このため、巻真９２を貫通孔３５で安定して案内でき、かつ、時計１のデザイン性を向上できる。
【００３５】
文字板７は、外周リング７１の内側に開口７５を有するため、ムーブメント６を文字板７の開口７５を介して視認できる。また、裏蓋４に裏蓋ガラス４３を設けたので内ケース１０およびムーブメント６を裏蓋側からも視認できる。
さらに、外ケース２０および内ケース１０間の隙間９は、カバーガラス５および裏蓋４の裏蓋ガラス４３と平面視で重なる位置に形成しているので、カバーガラス５、隙間９、裏蓋ガラス４３を通して視認できるスケルトン構造（シースルー構造）にでき、デザイン性に優れた時計１を提供できる。
【００３６】
内胴部１１に対して保持部１２を着脱可能に取り付けてムーブメント６を保持しているので、ムーブメント６を内ケース１０に保持する作業を容易に行うことができる。また、アフターサービス等でムーブメント６を取り外す場合も容易に行うことができる。
さらに、ムーブメント６には、文字板受けリング６１が装着され、この文字板受けリング６１で内ケース１０に保持されているので、ムーブメント６の種類が変更された場合でも、ムーブメント６に対応する文字板受けリング６１を用いることで、内胴部１１や保持部１２は共通化できる。
【００３７】
内ケース１０の内胴部１１と、外ケース２０（外胴部２１およびカン部２２）と、支持部３０とをステンレススチール等の金属製で一体に形成しているので、支持部３１による内ケース１０の支持強度を向上でき、剛性の高いケース２を提供できる。さらに、内ケース１０の内胴部１１および外ケース２０、支持部３０が一体であるため、継ぎ目の無い連続するデザインを実現でき、ケース２の意匠性を向上できる。
【００３８】
なお、本発明は前記実施形態に限定されず、本発明の要旨の範囲内で種々の変形実施が可能である。
例えば、支持部３０の数は２つに限らず３つ以上でもよい。なお、支持部３０は、内胴部１１の外周面や外胴部２１の内周面に沿った円周方向に等間隔で配置されることが好ましい。したがって、支持部が３つ設けられる場合は１２０度間隔で配置されることが好ましく、４つ設けられる場合は９０度間隔で配置されることが好ましい。ただし、各支持部は等間隔で配置されていなくてもよい。
また、支持部は、巻真９２が配置される位置とは異なる位置に設けてもよい。巻真９２とは異なる位置に支持部が設けられた場合、巻真９２は隙間９に露出するため、積極的に巻真９２を露出させるデザインを実現できる。したがって、支持部３０の位置は、前記実施形態に限定されず、例えば、文字板７の１２時位置と６時位置との２箇所に支持部３０を設けてもよい。
さらに、内ケース１０の外周面に沿った寸法を大きくしたり、厚さ寸法を大きくすることで、内ケース１０の支持強度を確保できる場合には、支持部３０が１つでもよい。
【００３９】
また、内胴部１１、外胴部２１、支持部３０（第１支持部３１、第２支持部３２）は一体に形成されていたが、内胴部１１および外胴部２１は別々の部材で構成してもよい。この際、支持部３０は、内胴部１１または外胴部２１と一体に構成してもよいし、内胴部１１および外胴部２１と別体に構成してもよい。
少なくとも内胴部１１および外胴部２１が別体であれば、内胴部１１および外胴部２１を異なる材質で構成することができる。例えば、外胴部２１部分をステンレススチールやチタンで構成し、内胴部１１をゴールドやプラチナで構成することもでき、デザインのバリエーションを向上できる。
【００４０】
さらに、前記実施形態では、裏蓋４に裏蓋ガラス４３を設けて、裏蓋４からムーブメント６を視認可能なスケルトンタイプとしていたが、金属製の裏蓋で視認できないように構成してもよい。この場合も、時計１のカバーガラス５からは、内胴部１１および外胴部２１間のスリット状の隙間９を介して裏蓋を視認できるので、裏蓋のムーブメント６側の面にデザインや絵を施せば、前記デザインや絵を隙間９から視認できる。
また、内胴部１１に取り付けられる保持部１２はリング状に形成することでムーブメント６を裏蓋４側から視認できるようにしていたが、保持部１２を円板状に形成してムーブメント６の裏面を被覆してもよい。
文字板７は、前記実施形態の構成に限らず、一般的な円板状の文字板を用いてもよい。
【符号の説明】
【００４１】
１…時計、２…ケース、３…胴、４…裏蓋、５…カバーガラス、６…ムーブメント、７…文字板、８…指針、９…隙間、１０…内ケース、１１…内胴部、１２…保持部、２０…外ケース、２１…外胴部、２２…カン部、３０…支持部、３１…第１支持部、３２…第２支持部、３５…貫通孔、４１…枠、４３…裏蓋ガラス、６１…文字板受けリング、７１…外周リング、７２…軸挿通部、７３…ブリッジ部、７４…日窓部、７５…開口、８１…時針、８２…分針、８３…秒針、８４…日回し車、８５…日車、９１…りゅうず、９２…巻真。
【図１】
2016114407.tif 000003
【図２】
2016114407.tif 000004
【図３】
2016114407.tif 000005
【図４】
2016114407.tif 000006